(57)【特許請求の範囲】
【請求項１】
磁気記録された信号を光ビームの照射と外部から印加する磁場によって再生する光磁気記録媒体であって、
ビット情報を表す記録マークの前エッジ及び後エッジが隣接トラックの記録マーク又はスペースの中央付近に位置し、かつ、両側の隣接トラックの磁化方向が互いに異なることを特徴とする光磁気記録媒体。
【請求項２】
磁気記録された信号を光ビームの照射と外部から印加する磁場によって再生する光磁気記録媒体の記録再生方法であって、
記録マークの前エッジ及び後エッジが隣接トラックの記録マーク又はスペースの中央付近に位置し、かつ、両側の隣接トラックの磁化方向が互いに異なるようにマークを記録するステップと、
前記記録マークを含む信号の再生に際して、ビームスポットを再生対象トラック幅の略中央に位置させることにより、前記再生対象トラックの両側の隣接トラックからの漏れ磁場の影響が相殺された状態で前記記録マークを含む信号を再生するステップと
を備えていることを特徴とする光磁気記録媒体の記録再生方法。
【請求項３】
磁気記録された信号を光ビームの照射と外部から印加する磁場によって再生する光磁気記録媒体の記録再生方法であって、
記録マークの前エッジ及び後エッジが隣接トラックの記録マーク又はスペースの中央付近に位置し、かつ、両側の隣接トラックの磁化方向が互いに異なるようにマークを記録するステップと、
前記記録マークを含む信号の再生に際して、ビームスポットを再生対象トラック幅の中央から、再生用磁場の極性と同極性となる磁化方向を有する隣接トラックの方へずらすことにより、再生用磁場に前記隣接トラックからの漏れ磁場を重畳したものが最適再生磁場となるように、前記再生用磁場の強さを最適再生磁場より弱く設定して前記記録マークを含む信号を再生するステップと
を備えていることを特徴とする光磁気記録媒体の記録再生方法。
【請求項４】
前記記録マークの前エッジと後エッジとの間で前記再生用磁場の方向を変更するステップを更に備えている
請求項２又は３記載の光磁気記録媒体の記録再生方法。
【請求項５】
前記記録マークの前エッジ及び後エッジの両方又はいずれか一方において、エッジの位置をずらすことにより１つの記録マークが複数のビット情報を含む多値化記録再生を行う
請求項２又は３記載の光磁気記録媒体の記録再生方法。
【請求項６】
磁気記録された信号を光ビームの照射と外部から印加する磁場によって再生する光磁気記録媒体の記録再生装置であって、
記録マークの前エッジ及び後エッジが隣接トラックの記録マーク又はスペースの中央付近に位置し、かつ、両側の隣接トラックの磁化方向が互いに異なるようにマークを記録する手段と、
前記記録マークを含む信号の再生に際して、ビームスポットを再生対象トラック幅の略中央に位置させることにより、前記再生対象トラックの両側の隣接トラックからの漏れ磁場の影響が相殺された状態で前記記録マークを含む信号を再生する手段と
を備えたことを特徴とする光磁気記録媒体の記録再生装置。
【発明の詳細な説明】
【０００１】
【発明の属する技術分野】
本発明は、光磁気記録媒体とその記録再生方法に関する。光磁気記録媒体は、記録容量が大きいと共に信頼性が高く、可搬性に優れたリムーバブル記録媒体である。このため、コンピュータのデータ記録媒体として、あるいは画像情報の記録媒体として、その応用分野が急速に広がってきている。それに伴い、高密度化及び大容量化に関する市場の要望が年々高くなっている。
【０００２】
【従来の技術】
トラックに沿ってデータを一次元的に記録するディスク（円盤型）記録媒体において、記録密度を高める（すなわち記録容量を増加する）には、大きく分けて２つの方法がある。第１の方法はトラック上のビット密度を上げる方法であり、第２の方法はトラック密度を上げる方法である。
【０００３】
光磁気記録媒体の場合、第１の方法は記録媒体に照射される光ビームのスポット径によって制限される。ビームスポット径より小さい周期で記録されたビットを再生するためにはビームスポットを更に小さく絞る必要があるが、ビームスポット径は、光源の波長λと対物レンズの開口数ＮＡとで決まる値より小さくすることができない。
【０００４】
最近、ビームスポット内に形成される媒体の温度分布を利用し、記録媒体を多層化することによってビームスポットを絞ったのと同等の効果を生じさせ、これによってビームスポット径より小さい周期で記録されたビットを再生する技術が提案されている（例えば特開平１−１４３０４１号公報又は特開平３−９３０５８号公報参照）。
【０００５】
図１は、特開平１−１４３０４１号公報に開示された記録媒体の構造と記録再生方法の概略を示している。この記録媒体は、再生層１０１、中間層１０２、及び記録層１０３の３層で構成されており、記録層１０３に光変調方式により記録されたビット１０５をビームスポット１０４内の低温領域１０4ａから中間層１０２を介した交換結合によって再生層１０１に転写して再生する。中間層１０２のキュリー温度を越えた高温領域１０２ａでは交換結合が遮断され、再生層１０１の磁化は外部から印加された再生磁場Ｈｒの方向に向けられる。つまり、記録層１０３のビット１０５ａを隠した（磁気的にマスクした）状態となる。このようにして、ビームスポット１０４内に位置するビットのうち、低温領域１０４ａに位置するビットしか再生されないため、実質的にビームスポットを絞ったのと同じこととなり、再生分解能が上がる。
【０００６】
図２は、特開平３−９３０５８号公報に開示された記録媒体の構造と記録再生方法の概略を示している。この記録媒体は、再生層２０１、制御層２０２、中間層２０３、及び記録層２０４の４層で構成されている。この記録媒体では、再生層２０１の磁化は、ビームスポット２０５内の領域のうち、低温領域２０５ａ及び高温領域２０５ｂではビットを隠した状態を形成し、中間温度領域２０５ｃのみにおいて、交換結合により記録層２０４から再生層２０１にビットが転写され再生される。高温領域２０５ｂにおける再生層２０１の磁化状態は、先に説明した記録媒体と同じ原理によって、外部から印加された磁場（再生磁場）Ｈｒの方向に向けられる。
【０００７】
一方、低温領域２０５ａでは、再生層２０１の磁化状態は、初期化磁場Ｈ０（通常、数キロＯｅの磁場）によって最初に揃えられた磁化方向を保持している。これは、低温領域２０５ａにおける再生層２０１と制御層（再生補助層ともいう）２０２との合成保磁力が、中間層２０３を介した記録層２０４からの交換結合力よりも大きいことによる。中間温度領域２０５ｃすなわち転写領域は、温度の上昇に伴って上記の大小関係が逆転することによって形成される。
【０００８】
上記のような３層又は４層で構成された光磁気記録媒体の再生方法は、磁気超解像法（ＭＳＲ）と呼ばれている。図１又は図２に示したような記録媒体にデータを記録する際の印加磁場、レーザ発光、記録マーク及び再生データの関係を図３（ａ）及び（ｂ）に示す。図３（ａ）はレーザを直流発光させる磁場変調方式の場合を示し、図３（ｂ）はレーザをパルス発光させる磁場変調方式の場合を示している。図３は、磁界変調記録方式の説明図であり、他に光変調記録方式もある。図３は記録方法の一例（磁界変調）を示しており、他の方法（光変調）でもよい。
【０００９】
図４は、光磁気記録媒体を用いた記録再生装置の従来の構成を示すブロック図である。磁気コイル駆動回路３０４により磁気コイル３０３を駆動し、再生磁場を発生させる。光学ヘッド３０２により得られた再生信号は、アンプ３０５で増幅され、ＡＧＣ（オートゲインコントロール）アンプ３０６でゲイン調整され、等化器３０７で波形等化され、ＬＰＦ（ローパスフィルタ）３０８にて高域雑音が除去される。更に、二値化回路３０９で二値化され、データ弁別器３１１及びＰＬＬ（フェーズロックループ）回路３１２によりセパレートデータとされる。セパレートデータは復調器３１３に与えられ、ここでデータが復調される。
【００１０】
図５は、繰り返しマークを記録したときの再生磁場依存性を示している。つまり、記録媒体からデータを再生する際に必要な印加再生磁場とＣＮＲ（キャリア・ノイズ比）との関係を示している。図５から分かるようにＣＮＲが所定のレベル（ＣＮＲ０）より大きくなるのは、印加再生磁場が所定の範囲内（最適再生磁場）にあるときであり、最適再生磁場より強過ぎても弱過ぎても信号の劣化が生じる。
【００１１】
図６は、印加再生磁場がマイナス磁場であるときのデータ再生波形と二値化信号を示している。マイナス磁場を印加して再生した波形は、前エッジの傾斜が後エッジに比べて緩やかであるため、同一のノイズパワーに対して二値化信号のジッタは、前エッジの方が後エッジより大きくなる。従って、再生データの品質は、前エッジのジッタで決まる。
【００１２】
図７は、印加再生磁場がプラス磁場であるときのデータ再生波形と二値化信号を示している。この場合は、マイナス磁場の場合と反対に、前エッジより後エッジの方が、再生波形の傾斜が緩やかになり、後エッジのジッタが再生データの品質を決めることになる。
【００１３】
上記のように、３層構成又は４層構成の記録媒体を用いて、磁気超解像法により小さなビットを再生する場合、再生波形が非対称になり、前エッジ又は後エッジの傾斜が緩やかになることから、再生データの品質が低下する問題があった。
【００１４】
また、記録密度を高める第２の方法としてトラック密度を上げるにために、トラック幅を小さくしたり、ランドとグルーブの両方に記録する方法が用いられている。このようにしてトラック密度を上げていくときに生じる問題として、再生ビームスポット内に隣接トラックのマークが入ることによるクロストークの問題がある。この問題の解決方法としては、例えば特開平１−１４３０４１号公報又は特開平３−９３０５８号公報等に開示されているように、有効なビームスポット径を仮想的に小さくすることによって、再生対象のトラック（以下、本トラックという）のマークのみを再生する方法がある。また、図８に示すように、隣接トラック間で記録マークを互い違いに配置することにより、クロストークの影響を抑える方法もある（例えば特開平６−７６３９９号公報参照）。
【００１５】
【発明が解決しようとする課題】
ディスク記録媒体の高密度化を押し進めていくと、ビット密度を上げる技術とトラック密度を上げる技術とを同時に用いる必要が生じる。このとき、記録マークが磁化記録であるために、隣接記録マークからの漏れ磁場が本トラックに影響する問題が生ずる。この問題は、上述の狭義のクロストークとは別の問題である。
【００１６】
この漏れ磁場の悪影響は、例えば特開平１−１４３０４１号公報又は特開平３−９３０５８号公報に記載されているように、有効なビームスポット径を仮想的に小さくしても改善されない。つまり、磁場の悪影響を抑えることはできない。また、より高密度な記録を可能とする磁場変調記録方式は、光変調記録方式に比べて一般に記録マークの幅が広いので、隣接トラックからの漏れ磁場の影響をより強く受けやすい。
【００１７】
特に再生時に磁場を用いる場合、隣接トラックからの漏れ磁場により、本トラックの記録ビットが受ける実効磁場が変化し、図５に示した最適再生磁場の範囲から外れてしまう。この結果、隣接トラックからの漏れ磁場の悪影響のために本トラックの記録データが正しく再生されなくなる。
【００１８】
また、図８に示した記録方法では、例えば偶数トラックが再生対象である場合、両側の隣接トラック（奇数トラック）からの漏れ磁場が同一方向であるために、その影響がますます大きくなる。つまり、図８において、中央の偶数トラックの記録ビットの前エッジ（左側）に着目すると、両隣の奇数トラックでは共にプラス（＋）方向に磁化されている。同様に後エッジに着目すると、両隣の奇数トラックでは共にマイナス（−）方向に磁化されている。このように、本トラックの両側の隣接トラックからの漏れ磁場の悪影響が強くなるので、本トラックの記録ビットが受ける実効磁場が最適再生磁場の範囲から外れてしまい、正しく再生できなく問題があった。
【００１９】
更に、前述のように、一定の印加再生磁場の下では、再生波形が非対称になり、前エッジ又は後エッジの傾斜が緩やかになるので、緩やかな方のエッジにおけるジッタが悪化し、再生データの品質を低下させる問題もあった。
【００２０】
本発明は、上記のような従来の問題点に鑑みて為されたものであり、磁場を印加しながら光学ヘッドによって記録信号の再生を行う際に、隣接トラックからの漏れ磁場の悪影響を抑えて正確な再生信号が得られる光磁気記録媒体とその記録再生方法、及び光磁気記録装置を提供することを目的とする。
【００２１】
【課題を解決するための手段】
請求項１記載の光磁気記録媒体は、磁気記録された信号を光ビームの照射と外部から印加する磁場によって再生する光磁気記録媒体であって、ビット情報を表す記録マークの前エッジ及び後エッジが隣接トラックの記録マーク又はスペースの中央付近に位置し、かつ、両側の隣接トラックの磁化方向が互いに異なることを特徴とする。
【００２２】
また、請求項２記載の光磁気記録媒体の記録再生方法は、磁気記録された信号を光ビームの照射と外部から印加する磁場によって再生する光磁気記録媒体の記録再生方法であって、記録マークの前エッジ及び後エッジが隣接トラックの記録マーク又はスペースの中央付近に位置し、かつ、両側の隣接トラックの磁化方向が互いに異なるようにマークを記録するステップと、前記記録マークを含む信号の再生に際して、ビームスポットを再生対象トラック幅の略中央に位置させることにより、前記再生対象トラックの両側の隣接トラックからの漏れ磁場の影響が相殺された状態で前記記録マークを含む信号を再生するステップとを備えていることを特徴とする。
【００２３】
上記のような光磁気記録媒体及びその記録再生方法によれば、再生対象トラックの両側の隣接トラックからの漏れ磁場の影響が相殺されるので、隣接トラックからの漏れ磁場の影響をほとんど受けることなく、再生対象トラックの記録信号が正しく再生される。
【００２４】
また、請求項３記載の記録再生方法は、記録マークを含む信号の再生に際して、ビームスポットを再生対象トラック幅の中央から、再生用磁場の極性と同極性となる磁化方向を有する隣接トラックの方へずらすことにより、再生用磁場に前記隣接トラックからの漏れ磁場を重畳したものが最適再生磁場となるように、前記再生用磁場の強さを最適再生磁場より弱く設定して前記記録マークを含む信号を再生することを特徴とする。
【００２５】
この記録再生方法によれば、隣接トラックからの漏れ磁場をむしろ有効活用して、印加する再生用磁場を必要な最適再生磁場より弱く設定することができるので、再生用磁場を発生するための電磁石（磁気コイル）とその駆動エネルギーが小さくて済む。更に、磁場が小さいので磁場の切換をより高速に行うことができ、高速転送又は高密度化に有利である。本発明の光磁気記録媒体では、再生対象トラックの両側の隣接トラックの漏れ磁場は互いに逆方向となっているから、いずれか一方の漏れ磁場は必ず再生用磁場と同じ方向、つまり、再生用磁場を強める方向の磁場である。
【００２６】
また、請求項４記載の記録再生方法は、上記のいずれかの記録再生方法において、記録マークの前エッジと後エッジとの間で前記再生用磁場の方向を変更するステップを更に備えている。これにより、記録マークの前エッジと後エッジの両方で急峻な再生波形が得られ、ジッタが小さくなる。したがって、任意のエッジ又は両方のエッジを記録再生情報として用いることができる。
【００２７】
更に、請求項５記載の記録再生方法では、記録マークの前エッジ及び後エッジの両方又はいずれか一方において、エッジの位置をずらすことにより１つの記録マークが複数のビット情報を含む多値化記録再生を行う。特に、再生波形が急峻なエッジにおいて、その位置をずらすことによる多値化記録再生が容易である。
【００２８】
また、請求項６記載の装置は、磁気記録された信号を光ビームの照射と外部から印加する磁場によって再生する光磁気記録媒体の記録再生装置であって、記録マークの前エッジ及び後エッジが隣接トラックの記録マーク又はスペースの中央付近に位置し、かつ、両側の隣接トラックの磁化方向が互いに異なるようにマークを記録する手段と、前記記録マークを含む信号の再生に際して、ビームスポットを再生対象トラック幅の略中央に位置させることにより、前記再生対象トラックの両側の隣接トラックからの漏れ磁場の影響が相殺された状態で前記記録マークを含む信号を再生する手段とを備えたことを特徴とする。
【００２９】
【発明の実施の形態】
以下、本発明の実施形態を図面に基づいて説明する。
図９は、本発明の第１の実施形態に係る記録再生方法における信号波形の一例を示す図である。実施形態の記録再生方法では、記録媒体のトラックにマークを記録するに際し、右隣接トラック、本トラック、左隣接トラックの順番に、記録マークＭを半クロック分ずつずらした位置に記録する。また、記録マークＭの磁場方向（極性）をプラス（＋）、スペースＳの磁場方向をマイナス（−）とする。これにより、記録マークＭの前エッジ及び後エッジが隣接トラックの記録マークＭ又はスペースＳの中央付近に位置し、かつ、両側の隣接トラックの磁化方向が互いに異なる構成となる。
【００３０】
また、記録の立上り（記録マークの前エッジ）における印加再生磁場の方向はプラス（＋）に設定される。立上りにおける本トラックの実効再生磁場は、印加再生磁場と左右の隣接トラックからの漏れ磁場との総和となるが、左右の隣接トラックからの漏れ磁場は、互いに逆方向（逆極性）となるので、相殺される。この結果、実効再生磁場は、ほぼ印加再生磁場に等しくなる。このようにして、本実施形態の記録再生方法によれば、隣接トラックからの漏れ磁場の影響をほとんど受けずに記録信号を正しく再生することができる。
【００３１】
また、記録マークの中央付近で印加再生磁場を反転させ、立下り（記録マークの後エッジ）における印加磁場の方向をマイナス（−）にする。立下りにおいても、立上りと同様に、左右の隣接トラックからの漏れ磁場は相殺されてほぼゼロになっており、隣接トラックからの漏れ磁場の影響をほとんど受けずに信号を再生することができる。また、記録マークの中央付近で印加再生磁場を反転させることにより、前述の磁気超解像法（ＭＳＲ）による再生波形は立上り及び立下りの両方で急峻となり、ジッタが小さくなる。したがって、任意のエッジを用いて再生することができる。なお、図９では印加再生磁場が隣接トラックの記録マークに同期して反転しているが、必ずしも同期している必要はない。立上りを検出するタイミングで磁場が反転していれば良い。
なお、本実施形態の記録媒体は、再生時に隣接記録磁場の影響を受ける光磁気記録媒体で、磁気超解像法を用いて再生を行うものであり、図１又は図２に示したような層構造である。
【００３２】
図１０は、本発明の第２の実施形態に係る記録再生方法における信号波形の一例を示す図である。実施形態の記録再生方法が図９に示した第１の実施形態と異なる点は、本トラック上の光学ヘッドを左右いずれかの隣接トラックの方へずらす（すなわちデトラックさせる）点である。図１０は、左側隣接トラックの方へデトラックさせた場合の例を示している。
【００３３】
図１０に示すように、左側にデトラックさせている分だけ、左側からの漏れ磁場の影響が右側からの漏れ磁場の影響より大きくなっている。したがって、左右の隣接トラックの漏れ磁場は相殺されずに、左側からの漏れ磁場の方向と同じ方向の磁場が漏れ磁場の総和として残る。この結果、漏れ磁場は印加再生磁場を強める働きをすることになるので、逆に、漏れ磁場の分だけ印加再生磁場を小さくすることができる。この実施形態でも、第１の実施形態と同様に、記録マークの中央付近で印加再生磁場を反転させているので、任意のエッジを用いて再生することができる。
【００３４】
また本実施形態の記録媒体は、右隣接トラック、本トラック、左隣接トラックの順番に、記録マークを半クロック分ずつずらした位置に記録するので、本トラックの記録マークの前エッジ又は後エッジの位置は、隣接トラックのマーク又はスペースの中央付近に対応している。したがって、光学ヘッドがデトラックしても、前述したクロストークの問題は生じない。
【００３５】
図１１は、本発明の第３の実施形態に係る記録再生方法における信号波形の一例を示す図である。この実施形態は、第１又は第２の実施形態において、記録マークの前エッジ又は後エッジの位置を変えることによって多値化を実現したものである。クロック信号（ＣＬＫ）は記録マークに同期しており、クロック信号の立上り位置においてレベル検出を行う。図１１の例では、前エッジ及び後エッジの位置をそれぞれ３通りに変化させることにより、それぞれのエッジで３レベルの値を記録再生できる。ただし、レベル数（エッジ位置の変化）は３レベルに限らず、２レベルでもよいし、４レベル以上であってもよい。また、前エッジ又は後エッジのいずれか一方のみを多値化してもよい。
【００３６】
図１２は、本発明の記録再生方法における印加再生磁場の最適値（以下、最適再生磁場という）を決定する方法の一例を示す波形図である。図１２に示すように、再生時に最適再生磁場を決定するためのリファレンス領域を記録媒体の記録データ中に備えさせる。リファレンス領域には所定パターンの記録マークを書き込んでおき、リファレンス領域の再生時に印加再生磁場を所定範囲の下限値から徐々に大きくしていく。あるいは上限値から徐々に小さくしていってもよい。
【００３７】
図１２に示すように印加再生磁場を徐々に大きくしていった場合、再生信号の振幅は印加再生磁場が大きくなるにしたがって大きくなるが、印加再生磁場が一定値を超えると再生信号の振幅は逆に小さくなっていく。したがって、この再生信号の振幅がピークになるときの印加再生磁場、あるいは、再生信号の振幅がしきい値以上であるときの印加再生磁場の中間値を最適再生磁場と決定すればよい。後者の具体的な方法の例を図１３に示す。
【００３８】
図１３は、再生信号の振幅がしきい値以上であるときの印加再生磁場の中間値を最適再生磁場と決定する方法の一例を示す波形図である。図１３に示すように、クロックにしたがって、３つの連続する時刻（離散時刻）ｔ-1，ｔ0，ｔ+1における再生信号のレベルＳ-1，Ｓ0，Ｓ+1をそれぞれサンプリングする。これらのサンプル値Ｓ-1，Ｓ0，Ｓ+1を用いて判定式、
（Ｓ+1−Ｓ0）2 ＋（Ｓ-1−Ｓ0）2 ≧Ｘ
を満たす範囲の最大磁場と最小磁場の中間値を最適磁場と決定すればよい。ただし、Ｘはしきい値である。このように二乗の和を用いて判定することにより、クロックが多少変動してもその影響を緩和することができる。
【００３９】
図１４は、本発明の記録媒体及び記録再生方法を用いた記録再生装置の構成例を示すブロック図である。磁気コイル駆動回路１４により磁気コイル１３が駆動され、再生磁場が記録媒体１１に印加される。記録媒体１１の記録データは光学ヘッド１２により読み取られ、再生信号が得られる。再生信号は、アンプ１５で増幅され、ＡＧＣ（オートゲインコントロール）アンプ１６でゲイン調整され、等化器１７で波形等化される。更に、ＬＰＦ（ローパスフィルタ）１８にて高域雑音が除去され、レベル検出器２５に与えられる。
【００４０】
一方、記録媒体１１のプリピットの再生信号がＰＬＬ（フェーズロックループ）回路２１に与えられ、ＰＬＬ回路２１はクロック（ＣＬＫ）信号及び反転クロック（＊ＣＬＫ）信号を生成する。ＣＬＫ信号及び＊ＣＬＫ信号（＊は論理反転を表す）は、いわゆる外部クロックとしてセレクタ２３に入力される。
【００４１】
図１５は、図１４に示した光磁気記録装置による記録マーク、再生磁場、及びクロック信号の関係を示す波形図である。セレクタ２３は、外部から与えられるアドレス情報に基づいて、ＣＬＫ信号及び＊ＣＬＫ信号をＡライン又はＢラインに出力する。Ａラインは再生磁場変調回路２４に接続され、Ｂラインはレベル検出器２５に接続されている。つまり、セレクタ２３は、アドレス情報に基づいて現在のトラックが偶数トラックであるか奇数トラックであるかを識別し、偶数トラックであればＡラインに＊ＣＬＫ信号、ＢラインにＣＬＫ信号を出力する。一方、奇数であれば、ＡラインにＣＬＫ信号、Ｂラインに＊ＣＬＫ信号を出力する。
【００４２】
アドレス情報は再生磁場変調回路２４にも与えられ、再生磁場変調回路２４は、現在のトラック番号が４ｎ，４ｎ＋１，４ｎ＋２，４ｎ＋３（ｎはゼロ又は自然数）のいずれであるかを識別する。そして、Ａラインから入力されるＣＬＫ信号又は＊ＣＬＫ信号の立上りを利用して再生磁場の方向を反転する。すなわち、各トラック４ｎ，４ｎ＋１，４ｎ＋２，４ｎ＋３の磁場の方向を図１５に示すように変化させる。また、前述のように、リファレンス領域の再生信号に基づいて、最適再生磁場を決定する。このようにして、図１１に示した記録マークのエッジと再生磁場との関係が得られるように、再生磁場変調回路２４から磁気コイル駆動回路１４へ制御信号が与えられる。
【００４３】
一方、レベル検出器２５は、図１１に示すように、Ｂラインから入力されるＣＬＫ信号又は＊ＣＬＫ信号の立上りにおいて、再生信号のレベルを検出する。検出レベルは復調器２２に送られ復調される。図１１の例では記録マークの前後のエッジでそれぞれ３レベルが検出可能であるから、１記録マーク当たり３2＝９値を得ることができる。したがって、３ビット分の情報を復調することができる。
【００４４】
一般に、記録マークの多値化の数がｎであれば、１記録マークからｎ2値の情報を得ることができるので、ｎ2≧２mを満たすｍの最大値に相当するビット数の情報を復調することができる。ｎ＝４のときは前後のエッジでそれぞれ２ｂｉｔの情報を復調することができるので、１記録マークから４ｂｉｔの情報を復調することができる。また記録マークの前エッジ又は後エッジのいずれか一方のみを多値化復調してもよい。
【００４５】
【発明の効果】
以上に説明したように、本発明の光磁気記録媒体及びその記録再生方法によれば、再生対象トラックの両側の隣接トラックからの漏れ磁場の影響が相殺されるので、隣接トラックからの漏れ磁場の影響をほとんど受けることなく、再生対象トラックの記録信号が正しく再生される。
【００４６】
また、請求項３記載の記録再生方法によれば、隣接トラックからの漏れ磁場をむしろ有効活用して、印加する再生用磁場を必要な最適再生磁場より弱く設定することができるので、再生用磁場を発生するためのエネルギーが小さくて済む。
【００４７】
また、請求項６記載の光磁気記録装置によれば、再生用磁場の最適値又は最適範囲を自動的に決定することができるので、記録信号を正しく再生することができる。
【図面の簡単な説明】
【図１】従来の光磁気記録媒体の構造と記録再生方法の概略を示す図である。
【図２】従来の光磁気記録媒体の別の構造と記録再生方法の概略を示す図である。
【図３】  従来の光磁気記録媒体を用いた記録再生方法における印加記録磁場、レーザ発光、記録マーク及び再生データの関係を示す波形図である。
【図４】光磁気記録媒体を用いた記録再生装置の従来の構成を示すブロック図である。
【図５】繰り返しマークを記録したときの再生磁場依存性を示す図である。
【図６】印加再生磁場がマイナス磁場であるときのデータ再生波形と二値化信号を示す波形図である。
【図７】印加再生磁場がプラス磁場であるときのデータ再生波形と二値化信号を示す波形図である。
【図８】隣接トラック間で記録マークを互い違いに配置した従来の記録媒体を示す図である。
【図９】本発明の第１の実施形態に係る記録再生方法における信号波形の一例を示す図である。
【図１０】本発明の第２の実施形態に係る記録再生方法における信号波形の一例を示す図である。
【図１１】本発明の第３の実施形態に係る記録再生方法における信号波形の一例を示す図である。
【図１２】本発明の記録再生方法における最適再生磁場を決定する方法の一例を示す波形図である。
【図１３】再生信号の振幅がしきい値以上であるときの印加再生磁場の中間値を最適再生磁場と決定する方法の一例を示す波形図である。
【図１４】本発明の記録媒体及び記録再生方法を用いた記録再生装置の構成例を示すブロック図である。
【図１５】図１４に示した光磁気記録装置による記録マーク、再生磁場、及びクロック信号の関係を示す波形図である。
【符号の説明】
１１  光磁気記録媒体
１２  光学ヘッド
１３  磁気コイル（再生磁場印加手段）
１４  磁気コイル駆動回路（再生磁場印加手段）
２４  再生磁場変調回路（最適磁場決定手段）
１０１  再生層
１０２  中間層
１０３  記録層
Ｍ  記録マーク
Ｓ  スペース
【図１】
0003781583.tif 000002
【図２】
0003781583.tif 000003
【図４】
0003781583.tif 000004
【図５】
0003781583.tif 000005
【図６】
0003781583.tif 000006
【図７】
0003781583.tif 000007
【図８】
0003781583.tif 000008
【図９】
0003781583.tif 000009
【図１０】
0003781583.tif 000010
【図１１】
0003781583.tif 000011
【図１２】
0003781583.tif 000012
【図１３】
0003781583.tif 000013
【図１４】
0003781583.tif 000014
【図１５】
0003781583.tif 000015
【図３】
0003781583.tif 000016